(57)【要約】【課題】低い水圧でも十分に洗浄機能を発揮させる。【解決手段】 洗浄装置１００は、洗浄水を供給するためのホース１１０に接続され、管内に挿入されるノズル１２０を備える。ノズル１２０はホース１１０を介して供給された洗浄水をノズル１２０の挿入方向に対してほぼ直交する方向に噴射するための複数の噴射孔１２１を備える。【選択図】  図１
2011104520.tif 000002
【特許請求の範囲】
【請求項１】
洗浄水を供給するためのホースに接続され、管内に挿入されるノズルを備える洗浄装置であって、
前記ノズルは前記ホースを介して供給された洗浄水を前記ノズルの挿入方向に対してほぼ直交する方向に噴射するための複数の噴射孔を備える洗浄装置。
【請求項２】
洗浄水を供給するためのホースに接続され、管内に挿入されるノズルを備える洗浄装置であって、前記ノズルは、
前記ホースを介して供給された洗浄水を前記ノズルの挿入方向に対して斜め後方に案内する複数の噴射孔と、
前記噴射孔から噴射した洗浄水を前記ノズルの挿入方向に対してほぼ直交する方向に反射するために前記噴射孔近傍に形成した反射壁とを備える洗浄装置。
【請求項３】
前記噴射孔は、前記ノズルの外部に向かって傾斜する請求項１又は２記載の洗浄装置。
【請求項４】
前記噴射孔は、前記ノズルの外部に向かって段階的に縮小する内径を有する請求項１又は２記載の洗浄装置。
【請求項５】
前記噴射孔は、内壁に螺旋溝が形成されている請求項１から４の何れか一項記載の洗浄装置。
【発明の詳細な説明】
【技術分野】
【０００１】
この発明は、排水管などの管内を洗浄する洗浄装置に関する。
【背景技術】
【０００２】
排水管などの管内を洗浄する装置として、ホースの先端に洗浄水を噴射する孔が設けられたノズルを備えたものがある（特許文献１）。
【０００３】
【特許文献１】特開２００５-５８９６９号公報
【発明の概要】
【発明が解決しようとする課題】
【０００４】
特許文献１に開示された洗浄装置など、従来の洗浄装置は、高圧を付与した洗浄水をホースに供給し、ホース先端に取り付けたノズルに形成されている噴射孔から洗浄水を管内に向けて放出するものである。そしてノズルに形成する噴射孔を洗浄水の供給方向とは逆向きに穿設することで、ホース先端のノズルから洗浄水を逆噴射させ、その噴射力によって管内を推進する。
【０００５】
しかしながら従来の洗浄装置は、高圧の洗浄水を供給することを条件にしているため、一般家庭から供給される水道圧程度の水圧では、十分な洗浄機能を実現することはできない。上記の洗浄装置では、ノズルから逆噴射する洗浄水は管内壁面の正面方向からではなく、横方向から当たるため、壁面に当たる水圧は低くなる。
【０００６】
この発明は、上記事情に鑑みてなされたもので、低い水圧でも十分に洗浄機能を発揮することを目的とする。
【課題を解決するための手段】
【０００７】
本発明に係る洗浄装置は、洗浄水を供給するためのホースに接続され、管内に挿入されるノズルを備える洗浄装置であって、前記ノズルは前記ホースを介して供給された洗浄水を前記ノズルの挿入方向に対してほぼ直交する方向に噴射するための複数の噴射孔を備える。
【０００８】
上記構成によれば、洗浄水をほぼ管内壁面に対して正面方向から当てることができるため、洗浄水に付与された圧力を管内壁面の洗浄のために効率良く利用することができる。従って、低い水圧でも十分な洗浄機能を実現することができる。
【０００９】
また、本発明に係る洗浄装置は、洗浄水を供給するためのホースに接続され、管内に挿入されるノズルを備える洗浄装置であって、前記ノズルは、前記ホースを介して供給された洗浄水を前記ノズルの挿入方向に対して斜め後方に案内する複数の噴射孔と、前記噴射孔から噴射した洗浄水を前記ノズルの挿入方向に対してほぼ直交する方向に反射するために前記噴射孔近傍に形成した反射壁とを備える。
【００１０】
上記構成によれば、 ノズル内部の壁に突き当たった洗浄水は後方に反射されるが、その水流を利用して後方に案内させているため、ノズル内部でホースから供給される洗浄水とノズル内部の壁に突き当たって反射する洗浄水とが衝突することにより発生する損失圧力を抑えることができる。
【００１１】
さらに、前記噴射孔は、前記ノズルの外部に向かって傾斜する、若しくは、前記噴射孔は、前記ノズルの外部に向かって段階的に縮小する内径を有するようにしてもよい。この構成によれば、噴射孔を通過する際に洗浄水の圧力を高めることができる。
【００１２】
さらに、本発明において、前記噴射孔の内壁に螺旋溝を形成するようにしてもよい。この構成によれば、噴射孔を通る洗浄水は螺旋溝によって旋回した状態で外部へ噴出するため、より洗浄力を高めることができる。
【発明の効果】
【００１３】
上記構成によれば、洗浄水をほぼ管内壁面に対して正面方向から当てることができるため、洗浄水に付与された圧力を管内壁面の洗浄のために効率良く利用することができる。従って、低い水圧でも十分な洗浄機能を実現することができる。
【図面の簡単な説明】
【００１４】
【図１】この発明の一実施の形態に係る洗浄装置の構成を示す図である。
【図２】ノズルの他の実施形態を示す図である。
【図３】ノズルのさらに他の実施形態を示す図である。
【発明を実施するための形態】
【００１５】
図１はこの発明の実施の形態に係る洗浄装置の構成を示す図である。洗浄装置１００は、洗浄水を供給するための可撓性を有するホース１１０に接続され、洗浄対象の管２００に挿入されるノズル１２０を備える。ノズル１２０はホース１１０を介して供給された洗浄水をノズル１２０の挿入方向に対してほぼ直交する方向に噴射するための複数の噴射孔１２１を備える。ノズル１２０は挿入部１２５をホース１１０に挿入した状態でホース１１０の外側からリング１２７によって加締めた状態で接続されており、ホース内を移動し易いように、先頭部１２０ａが球面に形成されている。
【００１６】
ノズル１２０に供給された洗浄水はノズル内部の壁１２３に突き当った後、周囲に設けられた複数の噴射孔１２１を介して進行方向に対してほぼ真横に噴射される。ノズル１２０の外周を貫通する噴射孔１２１は断面円形に形成されており、噴射孔１２１を通過する洗浄水と噴射孔１２１との摩擦力が小さくなるようにしている。
【００１７】
噴射孔１２１を通過する際に洗浄水の圧力を高めるために、噴射孔１２１の断面形状を変形させることができる。図２は噴射孔１２１の断面形状を示す図である。同図（a）は、噴射孔の内壁をノズル外部に向かってテーパ状に形成したものである。ノズル内部の壁１２３に突き当たった洗浄水は噴射孔１２１aに案内され、ノズル外部に向かって傾斜する噴射孔１２１aにより圧力が高められた状態で噴射させることができる。
【００１８】
また、同図（ｂ）は、断面の内径を段階的に異ならせたものである。ノズル内部の壁１２３に突き当たった洗浄水は噴射孔１２１ｂに案内され、ノズル外部に向かって段階的に縮小する内径を有する噴射孔１２１ｂにより圧力が高められた状態で噴射させることができる。なお、図示例では噴射孔１２１の内径を２段階で縮小させているが、それ以上の段数であってもよい。
【００１９】
さらに洗浄力を向上させるために、噴射孔の内壁に螺旋溝を形成し、噴射孔を通過する洗浄水を螺旋溝によって旋回させながら外部へ噴射させるようにしてもよい。
【００２０】
図３はノズルの他の実施形態を示している。図１に示したノズル１２１は噴射孔をノズル１２１の半径方向に設けることで洗浄水を、ノズル１２１の挿入方向に対してほぼ直交する方向に噴射させている。これに対して図３に示したノズル３２０は、ノズル内部の壁３２３に突き当たった洗浄水を後方に案内する噴射孔３２１を形成し、後方に噴射する洗浄水を横方向に反射するための反射部３２３を設けている。
【００２１】
ノズル３２０に反射壁３２３を形成するために、ノズル３２０の外周に環状Ｖ溝３２５を形成し、環状Ｖ溝３２５の一方の斜面３２５aに噴射孔を開口させ、該開口と環状Ｖ溝３２５の他方の斜面３２５ｂとを対向させている。環状Ｖ溝３２５の溝角度は、噴射孔が開口する角度によって決まり、噴射孔３２１をより後方に開口させている場合は環状Ｖ溝３２５の角度を小さくしている。
【００２２】
噴射孔を後方に開口させることにより、ノズル内部の壁３２３に突き当たった洗浄水が、その水流を利用して後方に案内されるため、ノズルの内部でホース１１０から供給される洗浄水とノズル内部の壁３２３に突き当たって反射する洗浄水とが衝突することにより発生する損失圧力を抑えることができる。
【００２３】
なお、図３に示したノズルにおいても、噴射孔の形状を図２に示したようにテーパ状若しくは内径を段階的に縮小させるようにしてもよい。また、噴射孔の内壁に螺旋溝を形成するようにしてもよい。特に噴射孔を後方に開口させることで、洗浄水が通る流路を長くすることができるため、流路の長い噴射孔を利用して、上述のように噴射孔の形状を変たり、噴射孔の内壁に螺旋溝を形成することができる。
【００２４】
なお本発明に係るノズルの使用に供される水圧は特に限定されず、低圧から超高圧に至るまで適用可能である。
【００２５】
以上説明した実施形態によれば、 ノズルから噴射する洗浄水をほぼ管内壁面に対して正面方向から当てることができるため、洗浄水に付与された圧力を管内壁面の洗浄のために効率良く利用することができる。従って、低い水圧でも十分な洗浄機能を実現することができる。
【符号の説明】
【００２６】
１００  洗浄装置
１１０  ホース
１２０、３２０  ノズル
１２１、１２１a、１２１ｂ、３２１  噴射孔
【図１】
2011104520.tif 000003
【図２】
2011104520.tif 000004
【図３】
2011104520.tif 000005